(57)【特許請求の範囲】
【請求項１】
撮像レンズを備えるカメラ部と、前記カメラ部で撮像された映像を表示し、タッチパネルを操作することにより所定の入力を入力可能としたタッチパネル付き表示部とを有する撮像装置において、
撮像装置本体を保持するベルト部を有し、前記ベルト部に前記タッチパネルを操作するタッチパネル入力ペンを収納するホルダーを設けたことを特徴とする撮像装置。
【請求項２】
請求項１記載の撮像装置において、
前記ホルダーは筒状の形状をなしストッパーが設けられていることを特徴とする撮像装置。
【請求項３】
請求項１記載の撮像装置において、
前記タッチパネル入力ペンは伸縮自在に構成されていることを特徴とする撮像装置。
【請求項４】
請求項１記載の撮像装置において、
前記ホルダーは筒状の形状をなしストッパーが設けられると共に前記タッチパネル入力ペンは伸縮自在に構成され、前記ストッパーは前記タッチパネル入力ペンの固定部を保持する構造であって、
前記タッチパネル入力ペンの引き出し部をもって引き出したとき、前記タッチパネル入力ペンが伸びた状態で引き出せるようにしたことを特徴とする撮像装置。
【請求項５】
請求項１記載の撮像装置において、
前記ベルト部はグリップベルトであって、
前記撮像装置本体を手で保持するとき、前記ベルト部が手の甲を押さえる位置に来るように構成したことを特徴とする撮像装置。
【発明の詳細な説明】
【０００１】
【発明の属する技術分野】
本発明は、タッチパネル付き表示部（モニター）を有するビデオカメラ、デジタルスチルカメラ等の撮像装置に関する。
【０００２】
【従来の技術】
従来、ビデオカメラにおいて、小型化、多機能化するため、ビデオカメラ本体（図示せず）で撮像した映像を表示するモニターをタッチパネル付きモニターとし、このタッチパネル付きモニター１に図８に示す如く、操作ボタン例えば巻戻しボタン１ａ、停止ボタン１ｂ、再生ボタン１ｃ、早送りボタン１ｄ、１時停止ボタン１ｅを表示し、このタッチパネル付きモニター１に表示された操作ボタンを指先で接触（操作）することにより、その機能例えば再生ボタン１ｃを操作したときにはこのビデオカメラ本体（図示せず）が再生状態となり撮像した映像を再生する如くなされていた。
【０００３】
また更に撮影する映像に関連してこのタッチパネル付きモニター１の一部を指定することによりズーム等を行う如くしていた。
【０００４】
【発明が解決しようとする課題】
ところで最近、ビデオカメラ等の更に小型化、多機能化が進み、このタッチパネル付きモニター１の操作ボタンの操作が指先では困難となり、タッチパネル入力ペン即ちスタイラスで操作（入力）する必要がでてきた。
【０００５】
このタッチパネル入力ペン（スタイラス）を使用するに、このタッチパネル入力ペンの紛失を防止するためこのタッチパネル入力ペンを収納するスペースをビデオカメラ本体に確保すると、このビデオカメラ本体がそれだけ大きくなる不都合がある。
【０００６】
また、このタッチパネル入力ペン（スタイラス）の紛失を防止するためこのタッチパネル入力ペン（スタイラス）を紐でビデオカメラ本体にぶら下げると撮影時に邪魔になり、不意に引っ掛けて破損したりする不都合がある。
【０００７】
本発明は斯る点に鑑み、ビデオカメラ本体等を大きくすることなく、また撮影時に邪魔となることなくこのタッチパネル入力ペン（スタイラス）の紛失を防止することを目的とする。
【０００８】
【課題を解決するための手段】
本発明撮影装置は撮像レンズを備えるカメラ部と、このカメラ部で撮像された映像を表示し、タッチパネルを操作することにより所定の入力を入力可能としたタッチパネル付き表示部とを有する撮像装置において、撮像装置本体を保持するベルト部を有し、このベルト部にこのタッチパネルを操作するタッチパネル入力ペンを収納するホルダーを設けたものである。
【０００９】
本発明によれば、撮像装置本体を保持するベルト部にタッチパネル入力ペンを収納するホルダーを設けたので、撮像装置本体を大きくすることなく、また撮影時に邪魔となることなく、このタッチパネル入力ペンの紛失を防止することができる。
【００１０】
【発明の実施の形態】
以下図面を参照して本発明撮像装置の実施の形態の例につき説明する。図１は本発明をビデオカメラに適用した例を示す斜視図である。
【００１１】
この図１において、２はビデオカメラ本体を示し、このビデオカメラ本体２の前方には撮像レンズ３が設けられ、後方にはビューファインダ４が設けられ、このビデオカメラ本体２の一方の側面には表裏自在にひっくり返すことができると共に回動自在に設けたタッチパネル付き表示部であるタッチパネル付き液晶モニター５が設けられている。
【００１２】
このタッチパネル付き液晶モニター５はこのビデオカメラ本体２で撮像された映像を表示すると共にこのビデオカメラの種々の機能を選択する操作ボタン等が表示される如くなされており、このタッチパネル付き液晶モニター５に表示される操作ボタン等を後述するタッチパネル入力ペン（スタイラス）６で操作（接触）したときは操作された操作ボタンの機能が実行される如くなされている。
【００１３】
このタッチパネル入力ペン（スタイラス）６としては、先端部６ａはタッチパネルに接触する部分で、この先端部６ａはタッチパネルに傷をつけないようにプラスチック樹脂で構成する。この先端部６ａに近いところに環状凹部６ｂを設け、後述するストッパーを構成する。
【００１４】
このタッチパネル入力ペン６の本体は伸縮自在のアンテナの如き構造で、この先端部６ａ、環状凹部６ｂを含む固定部６ｃと引き出し部６ｄとの２つの筒体より成り、この固定部６ｃより引き出し部６ｄを引き出した図３Ａに示す状態が使用状態であり、図３Ｂはこの固定部６ｃに引き出し部６ｄを押し込んだ状態で収納時の状態を示す。
【００１５】
また、本例においてはこのタッチパネル入力ペン６の引き出し部６ｄの後端部に孔６ｅを設け、この孔６ｅに紐等を通すことにより紛失をしないようにすることができる如くなされている。
【００１６】
このビデオカメラ本体２の他方の側面にこのビデオカメラ本体２を片手で保持するためのベルト部７を設ける。本例においてはこのベルト部７を伸縮自在に設けた布製の紐７ｂとこの紐７ｂが貫通する如く設けた布製のグリップベルト７ａとにより構成する。
【００１７】
この場合、このグリップベルト７ａはビデオカメラ本体２を片手（例えば右手）で保持したとき、このグリップベルト７ａが手の甲を押さえる位置に来る如くなされている。
【００１８】
本例においては、このベルト部７のグリップベルト７ａに図１、図２及び図４に示す如く、タッチパネル入力ペン６を収納するホルダー８を設ける。このホルダー８はエラストマ樹脂、塩化ビニール、ゴム等の軟質の材料でベルト部７の紐７ｂに沿う如き後方を閉塞した筒状に形成し、いわば刀の鞘の如くなし、このホルダー８にタッチパネル入力ペン６を収納したときに、このタッチパネル入力ペン６が簡単に抜け落ちないようにストッパーを設ける如くする。
【００１９】
このタッチパネル入力ペン６をこのホルダー８に収納したときは、図４Ａに示す如く、このタッチパネル入力ペン６の引き出し部６ｄを固定部６ｃに押し込んで縮めた状態で納まり、このタッチパネル入力ペン６の紛失を防止できる。
【００２０】
このストッパーとしては、図４Ｃに示す如くホルダー８の内部の先端側に環状突起８ａを設け、この環状突起８ａにタッチパネル入力ペン６の先端側の環状凹部６ｂが係合するようにしたものである。
【００２１】
この場合、この環状突起８ａと環状凹部６ｂとの係合はタッチパネル入力ペン６に取り出し方向への一定荷重のかかるまで、このタッチパネル入力ペン６の抜けるのを防止すると共にこのタッチパネル入力ペン６の環状凹部６ｂとホルダー８の環状突起８ａの係合により、タッチパネル入力ペン６の引き出し部６ｄをもって引き出したとき、図４Ｂに示す如くこのタッチパネル入力ペン６が伸びた状態で引き出され、既に使用状態となる如くする。
【００２２】
本例は上述の如く構成されているので、タッチパネル入力ペン６の不使用時は、図１及び図４Ａに示す如く、このタッチパネル入力ペン６を縮めた状態でグリップベルト７ａのホルダー８内に収納され、ストッパーで保持されるので、ビデオカメラ本体２の小型化を図ったままで、このタッチパネル入力ペン６の紛失を防止できる。
【００２３】
またこのタッチパネル入力ペン６をグリップベルト７ａに設けたホルダー８に収納するので、このタッチパネル入力ペン６が撮影時に邪魔となることがなく、このタッチパネル入力ペン６の紛失を防止することができる。
【００２４】
また、本例によればタッチパネル入力ペン６をホルダー８より引き出し部６ｄをもって引き出したときに環状凹部６ｂと環状突起８ａとの係合（ストッパー）により、図４Ｂに示す如く、このタッチパネル入力ペン６が伸びた状態で引き出され、即く使用状態となる利益がある。
【００２５】
また本例においては、タッチパネル付き液晶モニター５の操作ボタンの操作（入力）をタッチパネル入力ペン（スタイラス）６でするのでこのビデオカメラを更に小型化、多機能化することができる。例えば図５に示す如くタッチパネル入力ペン６を使用し、タッチパネル付き液晶モニター５に表示された、アルファベットと数字とより、之等を選択し、「ＮＥＷ  ＹＥＡＲ‥‥」等とタイトルを作ることができる。
【００２６】
また本例においては、図６に示す如くグリップベルト７ａに右手を入れてビデオカメラ本体２を手で保持して撮影する時において、タッチパネル入力ペン６を取り出したり、収納したりし、例えばタッチパネル付き液晶モニター５に写された映像の一部をズームしたり、ぼかしたりする画像処理をこのタッチパネル入力ペン６の操作（入力）により行うのであるが、このときグリップベルト７ａは右手の甲によってしっかり固定されているので、スムーズにこのタッチパネル入力ペン６の取り出し、収納をすることができる。
【００２７】
また、図７は本発明をデジタルスチルカメラに適用した実施の形態の他の例を示す斜視図である。
【００２８】
この図７において、１０はデジタルスチルカメラ本体を示し、このデジタルスチルカメラ本体１０の前方には撮像レンズ１１が設けられ、後方にはビューファインダ１２及びタッチパネル付き表示部であるタッチパネル付き液晶モニター１３が設けられている。
【００２９】
このタッチパネル付き液晶モニター１３はこのデジタルスチルカメラ本体１０で撮像される映像を表示すると共にこのデジタルスチルカメラの種々の機能を選択する操作ボタン等が表示される如くなされており、このタッチパネル付き液晶モニター１３に表示される操作ボタンをタッチパネル入力ペン（スタイラス）１４で操作（接触）したときは操作された操作ボタンの機能が実行される如くなされている。
【００３０】
このタッチパネル入力ペン（スタイラス）１４は先端部がタッチパネルに接触する部分で先細となったプラスチック樹脂より成る棒状のものである。
【００３１】
この図７例においては、このデジタルスチルカメラのベルト部であるストラップベルト１５に、このタッチパネル入力ペン１４を収納するホルダー１６を設けたものである。このホルダー１６はエラストマ樹脂、塩化ビニール、ゴム等の軟質の材料で、ストラップベルト１５に沿う如く後方を閉塞した筒状に形成し、いわば刀の鞘の如くなし、このホルダー１６にタッチパネル入力ペン１４を収納したときに、このタッチパネル入力ペン１４が簡単に抜け落ちないように、このホルダー１６の前方に突起状のストッパー１７を設ける如くする。
【００３２】
この場合、このタッチパネル入力ペン１４をこのホルダー１６に収納又は取り出すときはこの突起状のストッパー１７を折曲げる如くする。
【００３３】
この図７に示す如き本発明の実施の形態の他の例においても上述例同様の作用効果が得られることは容易に理解できよう。
【００３４】
尚上述例は本発明をビデオカメラやデジタルスチルカメラに適用した例につき述べたが、本発明をカメラ付きパソコン、カメラ付きＰＤＡ（ＰｅｒｓｏｎａｌＤｉｇｉｔａｌ（Ｄａｔａ）Ａｓｓｉｓｔａｎｔｓ）すなわち個人用携帯情報端末、カメラ付き携帯電話等の撮像装置に適用できることは勿論である。
【００３５】
また本発明は上述例に限ることなく本発明の要旨を逸脱することなく、その他種々の構成が採り得ることは勿論である。
【００３６】
【発明の効果】
本発明によれば、撮像装置本体を保持するベルト部にタッチパネル入力ペンを収納するホルダーを設けたので、撮像装置本体を大きくすることなく、また撮影時に邪魔となることなく、このタッチパネル入力ペンの紛失を防止することができる。
【図面の簡単な説明】
【図１】本発明撮像装置の実施の形態の例を示す斜視図である。
【図２】本発明の要部の例を示す斜視図である。
【図３】タッチパネル入力ペン（スタイラス）の例を示す斜視図である。
【図４】本発明の要部の例の説明に供する一部切欠線図である。
【図５】本発明の説明に供する斜視図である。
【図６】本発明の説明に供する斜視図である。
【図７】本発明の実施の形態の他の例を示す斜視図である。
【図８】従来の説明に供する線図である。
【符号の説明】
２‥‥ビデオカメラ本体、３，１１‥‥撮像レンズ、４，１２‥‥ビューファインダ、５，１３‥‥タッチパネル付き液晶モニター、６，１４‥‥タッチパネル入力ペン（スタイラス）、７ａ‥‥グリップベルト、８，１６‥‥ホルダー、１５‥‥ストラップベルト
【図１】
0003846327.tif 000002
【図２】
0003846327.tif 000003
【図３】
0003846327.tif 000004
【図４】
0003846327.tif 000005
【図５】
0003846327.tif 000006
【図６】
0003846327.tif 000007
【図７】
0003846327.tif 000008
【図８】
0003846327.tif 000009